(57)【要約】【課題】  通信端末への負担を軽減できる記録装置を提供すること。【解決手段】  通信端末に着脱可能な記録装置３は、蓄電部３０、マイコン部３２、記録部３３、及び検知部３５を備えている。蓄電部３０は、通信端末から供給された電力を蓄積する。通信端末で実行するアプリケーションソフトが記録装置３で実行可能なプログラムを有している場合に、かかるプログラムを含む制御情報が通信端末から出力され、マイコン部３２がこれを受け付ける。マイコン部３２の制御部３２０は、制御情報に基づいて検知部３５に検知指示を出力する。検知部３５のセンサ部３５０は、検知指示に応じて通信端末の周囲の物理量を感知し、感知した物理量に基づいた入力信号を生成する。マイコン部３２の状態情報生成部３２２は、生成された入力信号に基づいて状態情報を生成し、記録部３３に格納する。【選択図】  図２
2005300320.tif 000002
【特許請求の範囲】
【請求項１】
通信端末に着脱可能な記録装置であって、
前記通信端末の周囲の物理量を感知し、この感知した物理量に基づいた入力信号を生成する検知手段と、
当該生成した入力信号に基づいて前記通信端末の周囲の状態を示す状態情報を生成する情報生成手段と、
当該生成した状態情報を格納する記録手段と、
前記通信端末から供給される電流によって充電された状態となる蓄電手段と、を備え、
前記蓄電手段は、前記検知手段及び前記情報生成手段が作動するための電力を供給する、記録装置。
【請求項２】
前記情報生成手段が生成した状態情報を前記通信端末に出力する情報出力手段を備える、請求項１に記載の記録装置。
【請求項３】
前記通信端末から取得した制御情報に基づいて前記検知手段の入力信号の生成を制御する制御手段を備える、請求項１に記載の記録装置。
【請求項４】
前記検知手段は、当該記録装置に対して着脱可能なように構成されている、請求項１から３のいずれか１項に記載の記録装置。
【請求項５】
前記検知手段は、前記状態情報を無線通信により外部装置へ送信するための通信手段を有する、請求項１から４のいずれか１項に記載の記録装置。
【請求項６】
通信端末と、該通信端末に着脱可能な記録装置と、を備え、
前記通信端末は、前記記録装置を制御するための制御情報を生成する制御情報生成手段を有し、
前記記録装置は、
前記通信端末の周囲の物理量を感知し、この感知した物理量に基づいた入力信号を生成する検知手段と、
前記通信端末の制御情報生成手段により生成された制御情報に基づいて前記検知手段の入力信号の生成を制御する制御手段と、
前記検知手段により生成された入力信号に基づいて前記通信端末の周囲の状態を示す状態情報を生成する情報生成手段と、
当該生成した状態情報を格納する記録手段と、
前記通信端末から供給される電流によって充電された状態となる蓄電手段と、
を有し、
前記記録装置の蓄電手段は、前記検知手段及び前記情報生成手段が作動するための電力を供給する、記録システム。
【発明の詳細な説明】
【技術分野】
【０００１】
本発明は、通信端末に着脱可能な記録装置及び記録システムに関するものである。  
【背景技術】
【０００２】
従来、振動や音を測定するためのセンサを有した、通信端末と着脱可能な機能カードが提案されている（例えば、下記特許文献１参照。）。この機能カードは、センサを用いて測定データを取得するたびに、この測定データを通信端末に送信する。
【特許文献１】特開２００３−６５８４号公報
【発明の開示】
【発明が解決しようとする課題】
【０００３】
しかしながら、上述の技術では、測定データを取得するたびに送信処理が発生するため、機能カードと通信端末との間における通信が頻繁となり、通信端末のＣＰＵ及びバッテリに大きな負担がかかってしまうという問題がある。そこで本発明は、通信端末への負担を軽減できる記録装置を提供することを目的とする。
【課題を解決するための手段】
【０００４】
本発明は通信端末に着脱可能な記録装置であって、（１）通信端末の周囲の物理量を感知し、この感知した物理量に基づいた入力信号を生成する検知手段と、（２）当該生成した入力信号に基づいて通信端末の周囲の状態を示す状態情報を生成する情報生成手段と、（３）当該生成した状態情報を格納する記録手段と、（４）通信端末から供給される電流によって充電された状態となる蓄電手段と、を備え、蓄電手段は、（ａ）検知手段及び情報生成手段が作動するための電力を供給する。
【０００５】
蓄電手段を備えているので、通信端末のバッテリにかかる負担を小さくすることができる。入力信号に基づいて状態情報を生成するので、通信端末と頻繁な通信を行うことなく、通信端末の周囲の状態を計測することができる。更に、記録する記録手段を備えているので、例えば記録手段に状態情報を保持しておき、保持した状態情報をまとめて通信端末に出力するということが可能となるため、通信端末のＣＰＵにかかる負担を小さくすることができる。
【０００６】
また、本発明の記録装置では、情報生成手段が生成した状態情報を通信端末に出力する情報出力手段を備えることも好ましい。状態情報を通信端末に出力するので、通信端末は状態情報を受け付けて自通信端末の周囲の状態を解析することができる。
【０００７】
また、本発明の記録装置では、通信端末から取得した制御情報に基づいて検知手段の入力信号の生成を制御する制御手段を備えることも好ましい。制御情報に基づいて検知手段を制御するので、例えば制御情報が、通信端末で実行されるアプリケーションソフトから抽出した、記録装置にて実行可能なプログラムを含むものであれば、通信端末と記録装置との間における通信の頻度を減少することができる。
【０００８】
また、本発明の記録装置では、検知手段は、当該記録装置に対して着脱可能なように構成されていることも好ましい。検知手段が着脱可能なので、検知手段を用途に応じて適宜交換することができる。
【０００９】
また、本発明の記録装置では、検知手段は、状態情報を無線通信により外部装置へ送信するための通信手段を有することも好ましい。無線通信により変化情報を送信するので、記録装置を着脱するための機構を有していない外部装置に対しても、変化情報を受信することができる。
【００１０】
また、本発明の記録システムは、通信端末は、記録装置を制御するための制御情報を生成する制御情報生成手段を有し、記録装置は、通信端末の周囲の物理量を感知し、この感知した物理量に基づいた入力信号を生成する検知手段と、制御情報生成手段により生成された制御情報に基づいて検知手段の入力信号の生成を制御する制御手段と、検知手段により生成された入力信号に基づいて通信端末の周囲の状態を示す状態情報を生成する情報生成手段と、当該生成した状態情報を格納する記録手段と、通信端末から供給される電流によって充電された状態となる蓄電手段と、を有し、記録装置の蓄電手段は、検知手段及び情報生成手段が作動するための電力を供給する。
【００１１】
通信端末により出力された制御情報に基づいて、記録装置の制御手段が検知手段を制御するので、例えば通信端末が、実行するアプリケーションソフトから記録装置にて実行可能なプログラムを抽出し、このプログラムを含む制御情報を出力すれば、通信端末と記録装置との間における通信の頻度を減少することができる。更に、記録装置は記録手段を有しているので、例えば記録手段に複数の状態情報を保持しておき、これらをまとめて通信端末に送信するということが可能となる。このような制御手段及び記録手段によって、通信端末のＣＰＵにかかる負担を小さくすることができる。また、記録装置は蓄電手段を有しているので、通信端末のバッテリにかかる負担を小さくすることができる。
【発明の効果】
【００１２】
本発明によれば、通信端末への負担を軽減することができる。
【発明を実施するための最良の形態】
【００１３】
本発明の知見は、例示のみのために示された添付図面を参照して以下の詳細な記述を考慮することによって容易に理解することができる。引き続いて、添付図面を参照しながら本発明を実施するための形態を説明する。可能な場合には、同一の部分には同一の符号を付して、重複する説明を省略する。
【００１４】
図１は、本発明にかかる記録システムの構成図である。図１に示されるように、記録システム１は、通信端末２と、通信端末２に着脱可能な記録装置３と、を備えている。
【００１５】
まず、通信端末２について説明する。通信端末２は、ユーザが使用するモバイルデバイスであり、例えば携帯電話機といったものである。通信端末２は、移動体通信網を介しての音声通話のほかに、種々のアプリケーションソフトの利用が可能なように構成されている。通信端末２は、物理的には、ＣＰＵ（中央処理装置）、内部メモリ、プッシュボタンといった入力装置、ディスプレイといった表示装置等を有している。
【００１６】
図１に示すように、通信端末２は、機能的な構成要素として、バッテリ部２１と、アプリケーション実行部２２と、外部メモリインターフェイス２３と、表示部２４と、を有している。
【００１７】
バッテリ部２１は、例えば充電可能な電池である。バッテリ部２１は、外部電源（図示せず）から供給される電流によって充電される。またバッテリ部２１は、外部メモリインターフェイス２３を介して記録装置３に電流を供給する。
【００１８】
アプリケーション実行部２２は、アプリケーションソフトを実行する部分であって、制御情報生成部２２０及び要求部２２１を有している。
【００１９】
制御情報生成部２２０はアプリケーションソフトに基づいて制御情報を生成する部分である。ここで、制御情報とは、後述する記録装置３を制御するための情報である。より具体的には、アプリケーション実行部２２にて実行されるアプリケーションソフトが、記録装置３で実行可能な記録装置用プログラムを有している場合に、制御情報生成部２２０はこの記録装置用プログラムを含む制御情報を生成する。制御情報としては、例えば、「検知中止が指示されるまで、歩数の計測を行う」や「1分間の心拍数計測を３回行い、その計測結果を出力する」といった内容を示す情報がある。制御情報生成部２２０は、生成した制御情報を外部メモリインターフェイス２３に出力する。
【００２０】
要求部２２１は、アプリケーションソフトの実行に応じて、記録装置３に対する要求信号を生成する部分である。要求部２２１は、生成した要求信号を外部メモリインターフェイス２３に出力する。
【００２１】
また、アプリケーション実行部２２は、記録装置３から出力された状態情報の入力を受け付け、この状態情報を解析処理する部分でもある。ここで、状態情報とは、通信端末の周囲の状態を示す情報である。アプリケーション実行部２２は、状態情報の解析結果を表示部２４に出力する。表示部２４は、状態情報の解析結果等を通信端末２のディスプレイ（図示せず）に表示させる部分である。
【００２２】
外部メモリインターフェイス２３は、記録装置３との間で情報及び信号の入出力を行う部分である。より具体的には、外部メモリインターフェイス２３は、バッテリ部２１から出力された電流を記録装置３に供給し、アプリケーション実行部２２により出力された制御情報及び要求信号を記録装置３に出力する。また、外部メモリインターフェイス２３は、記録装置３により出力された状態情報の入力を受け付け、この状態情報をアプリケーション実行部２２に出力する。
【００２３】
続いて、記録装置３について説明する。図２は、記録装置３の構成図である。図２に示すように、記録装置３は、蓄電部３０（蓄電手段）と、入力部３１と、マイコン部３２と、記録部３３（記録手段）と、状態情報出力部３４（情報出力手段）と、検知部３５（検知手段）と、アタッチメント部３６と、を備えている。
【００２４】
蓄電部３０は、マイコン部３２及び検知部３５が作動するための電力を、マイコン部３２及び検知部３５に供給する部分である。蓄電部３０は、通信端末２から供給された電流を受けて充電された状態となる。通信端末２から蓄電部３０への電流の供給は、通信端末２により蓄電部３０の残容量が少ないと判断された場合に行われる。
【００２５】
入力部３１は、通信端末２のアプリケーション実行部２２からの制御情報及び要求信号の入力を受け付ける部分である。入力部３１は、受け付けた制御情報及び要求信号をマイコン部３２に出力する。
【００２６】
マイコン部３２は、制御部３２０（制御手段）と、簡易処理部３２１と、状態情報生成部３２２（情報生成手段）を有している。
【００２７】
制御部３２０は、通信端末２により出力された制御情報に基づいて検知部３５の入力信号の生成を制御する部分である。より具体的には、制御部３２０は、アプリケーション実行部２２から制御情報及び制御開始の要求信号を受け付けると、制御情報に含まれる記録装置用プログラムに従って検知部３５に検知指示を出力する。
【００２８】
簡易処理部３２１は、通信端末２により出力された要求信号に基づいて記録部３３及び検知部３５に指示を出力する部分である。より具体的には、簡易処理部３２１は、検知を要求する要求信号を受け付けた場合には、検知部３５に検知指示を出力する。簡易処理部３２１は、状態情報を要求する要求信号を受け付けた場合には、記録部３３から状態情報を検索し、検索した状態情報を状態情報出力部３４に出力する。
【００２９】
状態情報生成部３２２は、検知部３５が生成した入力信号に基づいて通信端末２の周囲の状態を示す状態情報を生成する。ここで、入力信号とは、通信端末２の周囲の物理量に基づいた電気信号であり、例えば温度や振動を示す信号である。状態情報生成部３２２は、検知部３５から入力信号を受け付けると、この入力信号を例えば気温や歩数といった状態情報に変換する。状態情報生成部３２２は、状態情報を記録部３３及び状態情報出力部３４に出力する。
【００３０】
記録部３３は、マイコン部３２により生成された状態情報を格納する部分である。また、記録部３３は、通信端末２から送信された情報を記録するといった通常の外部メモリとしての機能も有している。
【００３１】
状態情報出力部３４は、状態情報を通信端末２に出力する部分である。より具体的には、状態情報出力部３４は、状態情報生成部３２２により生成された状態情報及び簡易処理部３２１により出力された状態情報を通信端末２に出力する。
【００３２】
検知部３５は、記録装置３の他の構成要素に対して着脱可能なようにアタッチメント部３６によって接続されている。検知部３５は、センサ部３５０及び無線通信部３５１（通信手段）を有している。
【００３３】
センサ部３５０は、通信端末２の周囲の物理量を感知し、この感知した物理量に基づいて入力信号を生成する部分である。より具体的には、センサ部３５０は、例えばセンサ部３５０内部と外気との間の温度差や、振動等を感知する。そして、感知した温度差や振動等に対応した値を含む入力信号を生成し、生成した入力信号をマイコン部３２に出力する。
【００３４】
無線通信部３５１は、マイコン部３２から出力された状態情報を無線通信により外部装置へ送信する部分である。無線通信部３５１は、例えば非接触ＩＣであり、この場合、外部装置は送信された状態情報の読み取りが可能な装置である。
【００３５】
続いて、本実施形態の記録システム１の動作について説明する。
【００３６】
図３は、記録装置用プログラムを有したアプリケーションソフトを通信端末２で実行する場合における、記録システム１の処理を示す図であり、図４は、その場合における通信端末２のディスプレイ表示を示す図である。
【００３７】
図４（ａ）に示すように、通信端末２のディスプレイには、アプリケーション実行部２２で実行可能なアプリケーションソフトの一覧が表示される。ユーザが「歩数計」を選択すると、ディスプレイ表示は図４（ｂ）に示すように遷移し、通信端末２のアプリケーション実行部２２は歩数計のアプリケーションソフトの実行を開始する（図３、ステップＳ３０）。図４（ｂ）にてユーザが「計測開始」を選択すると、アプリケーション実行部２２の制御情報生成部２２０が、記録装置用プログラムを含む制御情報を生成する（図３、ステップＳ３１）。アプリケーション実行部２２は制御情報を記録装置３に出力する（図３、ステップＳ３２）。
【００３８】
記録装置３のマイコン部３２は、入力部３１を介して通信端末２からの制御情報を受け付ける（図３、ステップＳ３３）。マイコン部３２が制御情報を受け付けると、通信端末２のディスプレイ表示は図４（ｃ）に示すように遷移する。図４（ｃ）にてユーザが「ＯＫ」を選択すると、アプリケーション実行部２２の要求部２２１は制御開始の要求信号を記録装置３に出力する（図３、ステップＳ３４）。記録装置３のマイコン部３２がこの要求信号を受け付けると、マイコン部３２の制御部３２０は制御を開始し（図３、ステップＳ３５）、制御情報に含まれる記録装置用プログラムに従って検知部３５に検知指示を出力する（図３、ステップＳ３６）。通信端末２のディスプレイには、図４（ｄ）の画面が表示される。
【００３９】
一方、蓄電部３０は通信端末２によって監視され、残容量が少ないと通信端末２のバッテリ部２１から電流の供給を受ける（図３、ステップＳ３７）。蓄電部３０は、記録装置３が動作している間、マイコン部３２及び検知部３５に電力を供給する（図３、ステップＳ３８）。
【００４０】
検知指示が入力された検知部３５のセンサ部３５０は、振動を感知すると入力信号を生成する（図３、ステップＳ３９）。センサ部３５０は、生成した入力信号をマイコン部３２に出力する（図３、ステップＳ４０）。
【００４１】
マイコン部３２の状態情報生成部３２２は、入力信号を受け付けると、この入力信号の電流値（もしくは電圧値）を予め定めた閾値と比較する。比較の結果、入力信号の電流値が閾値より大きい場合には、「ユーザが一歩進んだ」として、値を１更新した状態情報を生成する（図３、ステップＳ４１）。状態情報生成部３２２は、生成した状態情報を記録部３３に出力する（図３、ステップＳ４２）。記録部３３は、この状態情報を格納する（図４、ステップＳ４３）。記録部３３は、通信端末２から検知中止の要求命令を受け取るまで、ステップＳ３６〜Ｓ４３の動作を繰り返す。
【００４２】
図５は、記録装置３に格納された状態情報を通信端末２が読み出す場合における、記録システム１の処理を示す図であり、図６は、その場合における通信端末２のディスプレイ表示を示す図である。
【００４３】
図５（ａ）に示すように、通信端末２のディスプレイには、アプリケーション実行部２２で実行可能なアプリケーションソフトの一覧が再び表示される。ユーザが「歩数計」を選択すると、通信端末２のアプリケーション実行部２２は歩数計のアプリケーションソフトの実行を開始する（図５、ステップＳ５０）。ユーザが図５（ｂ）の画面で「現在の歩数」を選択した後、図５（ｃ）の画面で「ＯＫ」を選択すると、アプリケーション実行部２２の要求部２２１は、状態情報の要求信号を記録装置３に出力する（図５、ステップＳ５１）。
【００４４】
記録装置３のマイコン部３２は、入力部３１を介して通信端末２からの状態情報の要求信号を受け付ける（図５、ステップＳ５２）。マイコン部３２の簡易処理部３２１は、要求信号に基づいて状態情報を記録部３３から検索する。（図５、ステップＳ５３）。マイコン部３２は、検索した状態情報を、状態情報出力部３４を介して通信端末２に出力する（図５、ステップＳ５４）。
【００４５】
通信端末２のアプリケーション実行部２２は、外部メモリインターフェイス２３を介して状態情報の入力を受け付ける（図５、ステップＳ５５）。アプリケーション実行部２２は、この状態情報を解析処理し、解析結果を表示部２４に出力する。表示部２４は、図６（ｄ）のように状態情報の解析結果をディスプレイに表示させる。
【００４６】
図７は、記録装置用プログラムを有していないアプリケーションソフトを通信端末２で実行する場合における、記録システム１の処理を示す図であり、図８は、その場合における通信端末２のディスプレイ表示を示す図である。
【００４７】
図８（ａ）に示すように、通信端末２のディスプレイには、アプリケーション実行部２２で実行可能なアプリケーションソフトの一覧が再び表示される。ユーザが「温度計」を選択すると、図８（ｂ）に示すようにディスプレイ表示が遷移し、通信端末２のアプリケーション実行部２２は温度計のアプリケーションソフトの実行を開始する（図７、ステップＳ７０）。図８（ｂ）にてユーザが「現在の気温」を選択した後、図８（ｃ）の画面で「ＯＫ」を選択すると、アプリケーション実行部２２の要求部２２１は、検知の要求信号を記録装置３に出力する（図７、ステップＳ７１）。
【００４８】
記録装置３のマイコン部３２は、通信端末２から入力部３１を介して検知の要求信号を受け付ける（図７、ステップＳ７２）。マイコン部３２の簡易処理部３２１は、検知部３５に検知指示を出力する（図７、ステップＳ７３）。
【００４９】
検知指示が入力された検知部３５のセンサ部３５０は、センサ部３５０内部と外気との間の温度差を感知して入力信号を生成する（図７、ステップＳ７４）。センサ部３５０は生成した入力信号をマイコン部３２に出力する（図７、ステップＳ７５）。検知部３５が動作している間、蓄電部３０は通信端末２によって監視され、残容量が少ないと通信端末２のバッテリ部２１から電流の供給を受けるとともに（図７、ステップＳ７６）、マイコン部３２及び検知部３５に電力を供給する（図７、ステップＳ７７）。
【００５０】
マイコン部３２の状態情報生成部３２２は、入力信号を受け付けると、この入力信号の電流値（もしくは電圧値）からセンサ部３５０内部と外気との間の温度差を計測する。そして、計測結果に基づいて気温を算出し、この気温を含む状態情報を生成する（図７、ステップＳ７８）。状態情報生成部３２２は、生成した状態情報を通信端末２及び検知部３５の無線通信部３５１に出力する（図７、ステップＳ７９，８０）。
【００５１】
通信端末２のアプリケーション実行部２２は、状態情報を受け付けた後（図７、ステップＳ８１）、この状態情報を解析処理した結果を表示部２４に出力する。表示部２４は、図８（ｄ）のようにディスプレイに状態情報の解析結果を表示させる。一方、無線通信部３５１は、入力された状態情報を無線通信により外部装置へ送信する（図７、ステップＳ８２）。
【００５２】
本実施形態の作用効果について説明する。上述のように、制御情報は記録装置用プログラムを含んでおり、この制御情報に基づいて記録装置３の制御部３２０がセンサ部３５０を制御するので、通信端末２と記録装置３との間における通信の頻度を減少することができる。更に、記録装置３は記録部３３を有しているので、状態情報を保持しておき、通信端末２から要求信号を受け付けた場合にのみ状態情報を検索し出力することが可能となる。よって、通信端末のＣＰＵにかかる負担を小さくすることができる。また、記録装置３は蓄電部３０を有しているので、通信端末２のバッテリ部２１にかかる負担を小さくすることができる。
【００５３】
なお、本実施形態にかかる記録システム１において、蓄電部３０への電力の供給タイミングは、通信端末２のバッテリ部２１が充電される時であってもよい。また、アプリケーションソフト毎に異なる、としてもよい。
【００５４】
また、制御情報は記録部３３に格納される、としてもよい。通信端末２で同じアプリケーションソフトが実行された場合には、記録部３３から制御情報を抽出してマイコン部３２に出力すれば、通信端末２にかかる負担をより小さくすることができる。
【００５５】
また、本実施形態にかかる記録システム１において、検知部３５は記録装置３の他の構成要素に対してアタッチメント部３６によって着脱可能なように接続されている、としたが、検知部３５と他の構成要素とは一体化されているとしてもよい。このように一体化されている場合には、アタッチメント部３６は不要となる。
【００５６】
また、本実施形態にかかる記録システム１において、検知部３５はセンサ部３５０及び無線通信部３５１を有している、としたが、検知部３５はセンサ部３５０のみを有している、としてもよい。
【００５７】
また、本実施形態にかかる記録システム１において、センサ部３５０は、一つの種類の物理量を感知するとしてもよいし、複数の種類の物理量を感知するとしてもよい。複数の種類の物理量を感知する、とすれば、通信端末２の周囲における多様な物理量の感知が可能となる。
【図面の簡単な説明】
【００５８】
【図１】本発明にかかる記録システムの構成図である。
【図２】記録装置の構成図である。
【図３】記録装置用プログラムを有したアプリケーションソフトを通信端末で実行する場合における、記録システムの処理を示す図である。
【図４】図３の場合における通信端末のディスプレイ表示を示す図である。
【図５】記録装置に格納された状態情報を通信端末が読み出す場合における、記録システム１の処理を示す図である。
【図６】図５の場合における通信端末のディスプレイ表示を示す図である。
【図７】記録装置用プログラムを有していないアプリケーションソフトを通信端末で実行する場合における、記録システムの処理を示す図である。
【図８】図７の場合における通信端末のディスプレイ表示を示す図である。
【符号の説明】
【００５９】
１・・・記録システム、２・・・通信端末、３・・・記録装置、２１・・・バッテリ部、３０・・・蓄電部、３３・・・記録部、３４・・・状態情報出力部、３５・・・検知部、３２０・・・制御部、３２２・・・状態情報生成部、３５０・・・センサ部、３５１・・・無線通信部。
【図１】
2005300320.tif 000003
【図２】
2005300320.tif 000004
【図３】
2005300320.tif 000005
【図４】
2005300320.tif 000006
【図５】
2005300320.tif 000007
【図６】
2005300320.tif 000008
【図７】
2005300320.tif 000009
【図８】
2005300320.tif 000010